(57)【要約】【課題】  濾液に混在する固形物を効率よく除去することができるフィルターを設けたフィルター付じょうごを提供する。【解決手段】  フィルター付じょうご１は、濾液を保持する濾液保持部１ａと、この濾液保持部１ａの開口よりも小径な排出口１ｂを底部に形成した排出口１ｂに筒部１ｃが設けられている。そして、排出口１ｂには、フィルター部２が設けられ、このフィルター部２は、濾液保持部１ａ側に隆起する略半球状に形成されている。使用済みてんぷら油等の濾液に混入されている揚げ粕等の固形物がフィルター部によって濾過されるとき、固形物６が略半球状のフィルター部２の周囲に溜まり、フィルター部２の頂部近傍が開放状態に保たれる。【選択図】図１
2011011200.tif 000002
【特許請求の範囲】
【請求項１】
濾液を保持する濾液保持部と、この濾液保持部の開口よりも小径な排出口を底部に形成した排出口に筒部を設けたじょうごであって、
上記排出口には、上記濾液保持部側に隆起する略半球状のフィルター部を設けたことを特徴とするフィルター付じょうご。
【請求項２】
略半球状のフィルター部は網目状に形成され、フィルター部の上記濾液保持部側の周囲には上記フィルター部を通過しない固形物を保持する保持部を設けた請求項１に記載のフィルター付じょうご。
【請求項３】
濾液保持部の開口にざる状に形成されたプリフィルターが装着され、このプリフィルターの網目を上記フィルター部の網目よりも大きく形成した請求項１に記載のフィルター付じょうご。
【請求項４】
フィルター部、濾液保持部及び筒部は合成樹脂によって一体にモールド成型された請求項１乃至３のいずれかに記載のフィルター付じょうご。
【発明の詳細な説明】
【技術分野】
【０００１】  本発明は、使用済みのてんぷら油等の濾液に混在する固形物を除去するフィルターを設けたフィルター付じょうごに関する。
【背景技術】
【０００２】  近年、資源として活用可能な廃棄物を回収してリサイクルすることにより、資源の有効活用を図ることや、焼却ゴミを減少させることにより、二酸化炭素の排出量を削減させる活動が各地で展開されている。ところが、一般家庭において、てんぷら等に使用した油については、固形材等を加えて固形化し、これを可燃ゴミとして廃棄していることが多々見受けられ、これが可燃ゴミや二酸化炭素の排出量の削減、及び、リサイクル可能な資源の回収が進まない要因となっていた。特に、使用済みてんぷら油を回収するための容器としては、ペットボトルが多用されている。ところが、使用済みてんぷら油には、揚げ粕等の固形物が混入していることから、ペットボトル等への移液は容易ではない。このため、使用済みてんぷら油をペットボトルへ移液するには、じょうごを使用している。【０００３】  しかし、使用済みてんぷら油を資源としてリサイクルとして利用するためには、混入されている揚げ粕等の固形物を除去する必要がある。こうした固形物を除去するための濾過手段を設けたじょうごが多々提案されている。例えば、特開平１０−２２５３８５号公報（特許文献１）においては、じょうご内にろ紙を置いて、油をろ過することが提案されている。また、実用新案登録第３１４２２１２号公報（特許文献２）においては、漏斗上部の広口部に、固形物を分離するためのフイルターを備えることが提案されている。【０００４】
【特許文献１】特開平１０−２２５３８５号公報
【特許文献２】実用新案登録第３１４２２１２号公報
【発明の開示】
【発明が解決しようとする課題】
【０００５】  上記特許文献１に示された濾過手段は、一般市販のろ紙を用いて揚げ粕等の固形物を除去するようにしているが、使用済みてんぷら油をじょうごに注ぐときに、特にろ紙の開口側上部が離脱することがあり、この結果、てんぷら油がじょうご内面とろ紙の外面との間から流出することから、一部の固形物が濾過できない問題がある。また、特許文献２に示された濾過手段は、漏斗上部の広口部にフィルターを備えていることから、多量のてんぷら油を注いだ場合には、漏斗の上部外周から流出することがあり、実用的ではない問題があった。
本発明が解決しようとする課題は、濾液に混在する固形物を効率よく除去することができるフィルターを設けたフィルター付じょうごを提供することにある。
【課題を解決するための手段】
【０００６】  そこで、本発明の請求項１に関わるフィルター付じょうごは、濾液を保持する濾液保持部と、この濾液保持部の開口よりも小径な排出口を底部に形成した排出口に筒部を設けたじょうごであって、上記排出口には、上記濾液保持部側に隆起する略半球状のフィルター部を設けている。【０００７】  また、請求項２に関わるフィルター付じょうごは、請求項１において、略半球状のフィルター部は網目状に形成され、フィルター部の上記濾液保持部側の周囲には上記フィルター部を通過しない固形物を保持する保持部を設けている。【０００８】  さらに、本発明の請求項３に関わるフィルター付じょうごは、請求項１において、濾液保持部の開口にざる状に形成されたプリフィルターが装着され、このプリフィルターの網目を上記フィルター部の網目よりも大きく形成している。【０００９】  さらにまた、本発明の請求項４に関わるフィルター付じょうごは、請求項１乃至３のいずれかにおいて、フィルター部、濾液保持部及び筒部は合成樹脂によって一体にモールド成型されている。
【発明の効果】
【００１０】  本発明によれば、じょうごの排出口に、濾液保持部側に隆起する略半球状のフィルター部を設けているので、使用済みてんぷら油に混入されている揚げ粕等の固形物がフィルター部によって濾過されることはもとより、小さな固形物が略半球状のフィルターの周囲に溜まり易くなり、フィルターの頂部近傍は開放状態に保たれるので、効率よく濾過することが可能となる。【００１１】  また、網目状に形成された略半球状のフィルター部の周囲に固形物を保持するための保持部を設けることにより、フィルター部を通過しない固形物を保持部に保持させることから、一層効率良く濾過することが可能となる。【００１２】  さらに、フィルター付じょうごの濾液保持部の開口に、ざる状に形成されたプリフィルターを装着し、このプリフィルターの網目をフィルター部の網目よりも大きく形成しているので、比較的大きな固形物を予め除去することができ、さらに効率よく濾過することが可能となる。【００１３】  さらにまた、フィルター部、濾液保持部及び筒部は合成樹脂によって一体にモールド成型することができるので、フィルター付じょうごを安価に製造することができ、多くの一般家庭で使用することが可能となり、この結果、可燃ゴミや二酸化炭素の排出量の削減、及び、リサイクル可能な資源の回収が促進され、地球環境の向上に寄与することが可能となる。
【発明を実施するための最良の形態】
【００１４】  フィルター付じょうごは、濾液を保持する濾液保持部と、この濾液保持部の開口よりも小径な排出口を底部に形成した排出口に筒部が設けられている。そして、排出口には、フィルター部が設けられ、このフィルター部は、上記濾液保持部側に隆起する略半球状に形成されている。また、略半球状のフィルター部は網目状に形成されていて、フィルター部の濾液保持部側の周囲には、フィルター部を通過しない固形物を保持するための保持部を設けることが望ましい。さらに、体積が大きい固形物が混入された濾液を濾過する場合には、濾液保持部の開口にざる状に形成されたプリフィルターを装着することが望ましい。このプリフィルターの網目は、体積が大きい固形物を予め除去するために、上記フィルター部の網目よりも大きく形成することが望ましい。さらには、フィルター付じょうごは、フィルター部、濾液保持部及び筒部は合成樹脂によって一体にモールド成型することが望ましい。【００１５】  以下、図面に基づいて本発明の実施例を詳細に説明する。図１および図２は、本発明に関わるフィルター付じょうごを示している。この実施例において、じょうご１の材質は、ポリプロピレン樹脂が採用されている。なお、採用する樹脂としては、ポリエチレン樹脂や、シリコン樹脂、テフロン樹脂等の合成樹脂であれば良く、これらの樹脂としては、特に植物油に対する耐油性を有し、やや高温の使用済みてんぷら油を注いでも変形しない耐熱性と、寒冷地でも使用可能な耐寒性を有し、さらに難燃性を有することが望ましい。【００１６】  じょうご１は、上方側には、濾液を保持するために略朝顔形の濾液保持部１ａが形成され、この濾液保持部１ａの下方中央の底部には、濾液保持部１ａ開口よりも小径な排出口１ｂが形成され、この排出口１ｂには筒状の筒部１ｃが一体に設けられている。また、上記排出口１ｂの近傍であって、筒部１ｃの外周には、後述するペットボトル７の注入口７ａに嵌合する複数条のリブ１ｄが一体に突出形成されている。そして、上記排出口１ｂには、濾液保持部１ａ側に隆起させた略半球状のフィルター部２が設けられている。【００１７】  略半球状のフィルター部２は、図３に示すように、透孔を四角形とした網目状に形成されている。そして、この網目によって、濾液保持部１ａと筒部１ｃとが連通するようにしている。また、この網目は、使用済みてんぷら油の混入した比較的小さな固形物を除去するために、約１０〜１５メッシュに形成することが望ましい。なお、フィルター部２の網目の形状は、三角形や円形等にしても良い。さらに、フィルター部２の濾液保持部１ａ側の周囲には、フィルター部２を通過しない固形物を保持するための保持部３が設けられている。【００１８】  そして、上述したじょうご１のフィルター部２、濾液保持部１ａ及び筒部１ｃは、ポリプロピレン樹脂等の合成樹脂によって一体に射出成型等のモールド成型している。【００１９】  一方、じょうご１には、濾液保持部１ａにプリフィルター４を装着することができる。このプリフィルター４は、図２に示すように、底面を平坦に形成した略ざる状に形成され、上端近傍から底面の全体が網目状に形成されている。この網目は、使用済みてんぷら油の混入した比較的大きな固形物を除去するために、上記フィルター部２よりも大きい透孔となるように、約８〜１２メッシュに形成することが望ましい。また、プリフィルター４の上端の外周には、濾液保持部１ａに嵌合する複数条のリブ４ａが一体に突出形成されている。なお、上記フィルター部２及びプリフィルター４の網目のメッシュは、上述した大きさに限らす、除去したい固形物の大きさによって最適な大きさに変更可能である。また、プリフィルター４は、濾液に混入された固形物の大きさや量によって適宜に使用され、じょうご１のフィルター部２のみで濾過可能な場合には使用しなくても良い。【００２０】  次に、本発明に関わるフィルター付じょうごの使用方法について説明する。
まず、比較的固形物５が大きく、しかも量が多い使用済みてんぷら油等の濾液を濾過する場合には、図４に示すように、じょうご１の濾液保持部１ａにプリフィルター４を装着する。このとき、複数条のリブ４ａが濾液保持部１ａの内面に当接するので、プリフィルター４の外面と濾液保持部１ａの内面との間には、濾液を流通させるための隙間が形成される。【００２１】  この状態からプリフィルター４の上方から使用済みてんぷら油等の濾液を投入すると、図４に示すように、プリフィルター４によって比較的大きな固形物５が除去されて底面に残留し、プリフィルター４からは、網目を通過可能な小さな固形物６と濾液が通過する。その後、この濾液は、フィルター部２に到達して、比較的小さな固形物６が除去され、濾過された濾液はフィルター部２の網目を通過して筒部１ｃに流出する。このとき、小さな固形物６は、略半球状のフィルター部２が濾液保持部１ａ側に隆起しているので、濾液の流れによって周囲に押し流され、保持部３に蓄積される。この保持部３に蓄積された小さな固形物６は、濾液の流れによって若干は濾液保持部１ａの内面に沿って移動することがあるが、フィルター部２が略半球状に形成されているために、やがて保持部３に戻って、再び蓄積される。この結果、フィルター部２の頂部の網目は常に開放されているので、効率良く濾過することが可能となる。【００２２】  フィルター部２の網目を通過して筒部１ｃに流出した濾液は、図４において二点鎖線で示すペットボトル７に注入される。このように、注入する濾液の量が多くなるに従って、内部の空気が加圧される。前述したように、筒部１ｃの外周には、複数条のリブ１ｄが一体に突出形成されているので、筒部１ｃの外周とペットボトル７の注入口７ａの内面との間に隙間が形成され、ペットボトル７内の空気が流出し、濾液の注入が許容されて、効率良く濾液を注入することが可能となる。【００２３】  図５は、本発明に関わるフィルター付じょうごの第２の実施例を示している。上述した実施例と相違する点は、フィルター部を別体として、着脱自在に構成したことである。すなわち、フィルター部１０は、上方側の網目部分が略半球状に形成され、その外周には、じょうご１の筒部１ｃの内径よりも大きい外径の平坦な鍔部１１が形成されている、この鍔部１１は、前述した実施例における保持部３と同様の機能を有している。さらに、鍔部１１の下方からは脚部１２が一体に突出形成されている。この脚部１２の外径は、じょうご１の筒部１ｃの内径よりも若干小さく設定されていて、筒部１ｃには軽圧入的に嵌合するようにしている。このフィルター部１０は、前述した実施例と同じ合成樹脂でモールド成型することが望ましい。【００２４】  このような構成からなるフィルター部１０は、脚部１２を筒部１ｃに嵌合することにより、図５において二点鎖線で示すように装着される。そして、前述した実施例と同様に、使用済みてんぷら油等の濾液を投入すると、フィルター部１０によって固形物が除去されることにより濾過される。このとき、このとき、上方側の網目部分の外周に形成した鍔部１１の上面が保持部となって固形物を保持するので、頂部の網目は常に開放され、効率良く濾過することが可能となるこ���は、前述した実施例と同様である。【００２５】  以上、本発明を実施例に基づき具体的に説明したが、本発明は上記実施例に限定されるものではなく、その要旨を逸脱しない範囲で種々変形可能であることは言うまでもない。前述した実施例においては、濾液をペットボトルに注入する例について説明したが、濾液を注入する容器としては、金属缶やガラス瓶であっても良い。また、濾液を注入する容器からじょうごを離脱させないような固定手段を設けても良い。
【産業上の利用可能性】
【００２６】  本発明は、使用済みてんぷら油等の固形物が混入された濾液を濾過するためのじょうごに適用可能である。
【図面の簡単な説明】
【００２７】
【図１】  本発明に関わるフィルター付じょうごの実施例を示す斜視図である。
【図２】  本発明に関わるフィルター付じょうごとプリフィルターを示す側面図である。
【図３】  図１に示したフィルター付じょうごのフィルター部を示す平面図である。
【図４】  フィルター付じょうごによる濾過状態を示す説明図である。
【図５】  本発明に関わるフィルター付じょうごの第２実施例を示す部分断面図である。
【符号の説明】
【００２８】１      じょうご
１ａ    濾液保持部
１ｂ    排出口
１ｃ    筒部
１ｄ    リブ
２      フィルター部
３      保持部
４      プリフィルター
５、６  固形物
７      ペットボトル
【図１】
2011011200.tif 000003
【図２】
2011011200.tif 000004
【図３】
2011011200.tif 000005
【図４】
2011011200.tif 000006
【図５】
2011011200.tif 000007